【手続補正書】
【提出日】平成22年11月12日(2010.11.12)
【手続補正１】
【補正対象書類名】明細書
【補正対象項目名】０００８
【補正方法】変更
【補正の内容】
【０００８】
本発明の入浴介助用車椅子には、座部フレームを着座状態としたときには、背凭れフレームと座部フレームとが一定の角度を保持した状態で傾倒させるチルト操作ができ、座部フレームを上方回動させたときには折畳み操作ができるように構成されたチルト機構及び折畳み機構が具備されています。したがって、使用中にはチルト操作によって使用者の姿勢を換えることができるという利点があります。この利点によって、被介護者の身体をずれ難い姿勢とすることができるとともに、姿勢変更に伴う体圧分散によって下肢が持ち上げ易くなり身体を洗い易くすることができるという効果もあります。また、使用中には被介護者の体重がかかっているため座部フレームを上方回動させることができず、この状態では折畳み操作ができないよう構成されているので安全に使用できます。使用後には座部フレームを上方回動させた後、角度設定プレートを上方回動させることで折畳みできるので操作も簡単です。そして、折畳むことでコンパクトになり狭い場所にも保管できるという利点もあります。
【手続補正２】
【補正対象書類名】明細書
【補正対象項目名】０００９
【補正方法】変更
【補正の内容】
【０００９】
また、このチルト機構と折畳み機構は背凭れフレーム下端部に具備されたブラケットと、このブラケットに支承される角度設定プレートと、車体フレームに具備されたピン及び座部フレームの上方回動により引き上げられるよう構成された規制ロッドとからなるものであり、簡易な構成となっています。したがって、安価に提供できるという利点があります。さらに、座部フレームが着座状態にあるときには、前記規制ロッドが角度設定プレートの回動範囲を規制して角度設定プレートに設けたチルト設定孔内でピンが相対的な移動をするよう構成されており、座部フレームを上方回動させたときには角度設定プレートの回動規制が解除されておりこの回動操作によって折畳み設定孔内をピンが相対的に移動できる状態になるので使用中には誤って折り畳まれることもなく、安全に使用できるものとなっております。
【手続補正３】
【補正対象書類名】明細書
【補正対象項目名】００１０
【補正方法】変更
【補正の内容】
【００１０】
次に、本発明における入浴介助用車椅子１について図面に基づいて説明します。なお、本実施例では、被介護者が入浴介助用車椅子１に乗車した状態を基準として前後左右としています。
本発明の入浴介助用車椅子１は、図１に示すように、主として前輪２，２及び後輪３，３を具備した車体フレーム４と、この車体フレーム４に回動自在に枢着される背凭れフレーム５と、この背凭れフレーム５に回動自在に枢着される座部フレーム６と、前記背凭れフレーム５と車体フレーム４との間に具備されるチルト機構７、さらに、前記座部フレーム６とチルト機構７に設けた折畳み機構８とから構成されています。
【手続補正４】
【補正対象書類名】明細書
【補正対象項目名】００１４
【補正方法】変更
【補正の内容】
【００１４】
また、背凭れフレーム５の軸受１７，１７の左右方向の外側にはテスリ２３，２３が取り付けられ、この入浴介助用車椅子１を使用する被介護者の転落等を防止しています。
まず、前記軸受１７，１７の左右外側面には略まが玉状の規制プレート２４，２４が一体的に形成されています。一方、テスリ２３，２３は、平面視において略コ字状に曲折されたテスリパイプ２５，２５の後端部に楕円状のプレート２６，２６及び支軸２７，２７をそれぞれ固着し、さらに前記プレート２６，２６には抜け止めピン２８，２８をそれぞれ固着しています。
このように構成されたテスリ２３の支軸２７，２７を前記軸受１７，１７にそれぞれ挿通するとともに、抜け止めピン２８，２８の顎部２８ａ，２８ａを前記規制プレート２４，２４に係止することで抜け止めされています。この状態で、前記座部フレーム６の取付に使用したピン２０も抜け止めされた状態となっています。
このように構成されたテスリ２３，２３は、図２の状態で抜け止めピン２８，２８が規制プレート２４，２４に接触しているので、テスリ２３，２３の下方向きの回動が規制された状態となっています。この状態から上方回動側にはフリーな状態になっているので、この入浴介助用車椅子１への乗り降りには支障なく使用できる構成となっています。
【手続補正５】
【補正対象書類名】明細書
【補正対象項目名】００１６
【補正方法】変更
【補正の内容】
【００１６】
続いて、折畳み機構８について説明します。この折畳み機構８は上述したチルト機構７を利用するもので、上記座部フレーム６の前方部を持ち上げることによって角度設定プレート３０の折畳み設定孔３０ｄ内をピン３５が滑動できる状態として背凭れフレーム５及び座部フレーム６を車体フレーム４側に倒伏できるよう構成したものです。
詳述すると、前記チルト機構７の角度設定プレート３０内の折畳み設定孔３０ｄにピン３１が相対的に移動可能な状態とするために、次のように構成しています。まず、座部フレーム６の回動の基点となる基部パイプ１９に筒状部材３７を固着しています。また、前記ブラケット２９には略上下方向のガイド孔２９ａが穿設されており、前記筒状部材３７と該ガイド孔２９ａに略コ字状に曲折した規制ロッド３３を挿通しています。なお、この規制ロッド３３の下端部は、座部フレーム６が椅子状態にあるときにブラケット２９のガイド孔２９ａの下部に位置し、この状態では図６に示すように前記角度設定プレート３０の反時計回りの回動が規制され、ピン３５が折畳み設定孔３０ｄ内へ相対的な移動ができないように構成されています。この状態から、座部フレーム６を背凭れフレーム５側に上方回動させると、規制ロッド３３の下端部が引き上げられ、前記ガイド孔２９ａの上部に位置し（図８参照）、前記角度設定プレート３０の規制部３０ａが該規制ロッド３３に接触しないので回動範囲が規制されることなくペタル３４を踏み込むことができ、ピン３５が折畳み設定孔３０ｄ内へ相対的な移動ができるようになっています。
【手続補正６】
【補正対象書類名】明細書
【補正対象項目名】００１７
【補正方法】変更
【補正の内容】
【００１７】
なお、上述した角度設定プレート３０は図７（ｂ）に示すように構成することもできます。
この角度設定プレート３０では、前述した略凹字状のチルト設定孔３０ｃを略Ｅ字状のチルト設定孔３０ｃ’としたもので、係脱孔ａが３箇所に設けられています。この場合には、着座姿勢が３段階から選択でき、使用者の洗体の状態に合わせ前記座部フレーム６及び背凭れフレーム５を傾倒することができます。
このように、前記角度設定プレート３０に設けるチルト設定孔３０ｃ及び折畳み設定孔３０ｄは、次のように構成したものであれば良く、本実施例に限定するものではありません。
まず、前記チルト設定孔３０ｃは角度設定プレート３０の回動の基端を中心とした同心円上に配設した複数の係脱孔ａ，ａ，・・・とこれら係脱孔ａ，ａ，・・・の下部を連結する略半径方向の通孔部ｂを備えたものであり、この係脱孔が２つの場合には上述したように略凹字状となる図７（ａ）に示すものとなり、係脱孔が３つの場合には上述したような略Ｅ字状となる図７（ｂ）に示すようになります。
また、折畳み設定孔３０ｄも上述で説明したものは略凹字状の空孔部を前記チルト設定孔３０ｃの前方下部に連続して一体的となるように構成したものであるが、前方部の係脱孔ａをなくしたものであっても、折畳むことができます。しかしながら、この場合には図９に示すように立位で収納することはできません。これは、通孔部ｂ内をピン３５が自在に移動可能な状態となっているためです。
なお、チルト設定孔３０ｃの通孔部ｂの下側に折畳み設定孔３０ｄの通孔部ｂを位置するように配することで、規制ロッド３３が作用し、座部フレーム６を着座状態としたときに上記ピン３５が折畳み設定孔３０ｄに侵入しない構成としています。
【手続補正７】
【補正対象書類名】明細書
【補正対象項目名】００２０
【補正方法】変更
【補正の内容】
【００２０】
次に、折畳み操作について説明します。
まず、前記角度設定プレート３０の上方回動のストッパーを解除するために、前記座部フレーム６を背凭れフレーム５側に向けて上方回動させます。このとき、規制ロッド３３が座部フレーム６の回動中心となる基部パイプ１９に固着された筒状部材３７の上方移動にあわせ、前記ガイド孔２９ａ内を上方へ引き上げられることによって、前記角度設定プレート３０の上方回動のストッパーが解除された状態となります。然る後、前記ペタル３４を踏み込むことで、前記ピン３５がチルト設定孔３０ｃから折畳み設定孔３０ｄへと相対的に移動します。そして、前記背凭れフレーム５と座部フレーム６を前方へ回動させながら前記ペタル３４から足を離します。さらに、前方へ背凭れフレーム５と座部フレーム６を倒すと前記ピン３５が折畳み設定孔３０ｄの前端側の係脱孔ａに係止され、背凭れフレーム５が前後に回動できない状態となります。この状態で、図９に示すように補助輪１１，１１とペタル３４によって支持されるように立位状態とすることができ、より狭いスペースに保管することができるようになります。このように、立位状態で保管できることで、背及び座のマット１６，２２が略垂直な状態となるので、入浴後の水切り乾燥が多少早くできるという利点もあります。
なお、この折畳み状態から使用状態に戻すには、前後輪２，２，３，３が接地する状態に戻し、前記ペタル３４を踏み込み、前記ピン３５の係止状態を解除して背凭れフレーム５を上方回動させます。そして、前記ピン３５が自動的にチルト設定孔３０ｃの係脱孔ａに係止されれば、使用状態になります。このとき、座部フレーム６は着座状態となっているので、前記角度設定プレート３０には規制ロッド３３がストッパーとして作用する状態となっており、上述のチルト操作ができるようになっています。
【手続補正８】
【補正対象書類名】明細書
【補正対象項目名】００２１
【補正方法】変更
【補正の内容】
【００２１】
上述したように、本願発明に係る入浴介助用車椅子１におけるチルト機構７及び折畳み機構８は、簡単な部品構成で安全に使用できるものとなっています。
したがって、安価に提供することもできるとともに、被介護者の姿勢を換えることができるので介護者も入浴介助がし易く、被介護者にとっては快適に入浴介できるものとなっています。